(57)【要約】【課題】積み重ねた紙を容易に押圧して結束できる紙収納ボックスを提供する。【解決手段】受け台と、受け台の対向する端部間を夫々横断し互いに交差して受け台の上面に刻設された一方凹溝および他方凹溝と、紙の対向する２辺に当接するよう設けられた第一端部支持部材および第二端部支持部材と、一方凹溝の端部に連続し各第一端部支持部材の上端部まで延在する第一空隙と、他方凹溝の端部に連続し各第二端部支持部材の上端部まで延在する第二空隙と、紙の上面を押圧する押圧部を備えた押え棒と、受け台に対して相対移動不能に設けられ押え棒の両端部と係合する係合支持フレームと、各押え棒に他方の凹溝と対向する位置に設けられ、紙の上面との間で空隙を形成する紐通し凹部と、一方の凹溝に向かって下方に傾斜するとともに、上縁側に押え棒の端部と係脱可能に係合する複数の係合凹部が並設された傾斜長穴と、を備えた。【選択図】図１
2016159957.tif 000002
【特許請求の範囲】
【請求項１】
紙が積み重ねられて載置される受け台と、
前記受け台の対向する端部間を夫々横断しかつ互いに交差して前記受け台の上面に刻設された少なくとも１組の凹溝と、
前記紙の対向する一方の２辺に当接するよう前記受け台に設けられた一対の第一端部支持部材と、
前記紙の対向する他方の２辺に当接するよう前記受け台に設けられた一対の第二端部支持部材と、
前記各第一端部支持部材に夫々設けられ前記１組の凹溝のうちの一方凹溝の端部に連続し、前記各第一端部支持部材の上端部まで延在する一対の第一空隙と、
前記各第二端部支持部材に夫々設けられ前記１組の凹溝のうちの他方凹溝の端部に連続し、前記各第二端部支持部材の上端部まで延在する一対の第二空隙と、
前記受け台に載置された紙の上面を押圧する押圧部を備え、互いに平行に配設された一対の押え棒と、
前記受け台に対して相対移動不能に設けられ、前記一方凹溝の両側上方において前記押え棒の両端部と係合する一対の係合支持フレームと、
前記各押え棒に前記他方凹溝と対向する位置に設けられ、前記紙の上面との間で空隙を形成する紐通し凹部と、
前記各係合支持フレームにおいて互いに対向して設けられ、前記一方凹溝に向かって下方に傾斜するとともに、上縁側に前記押え棒の端部と係脱可能に係合する複数の係合凹部が並設された傾斜長穴と、
を備えた紙収納ボックス。
【請求項２】
前記第一端部支持部材および第二端部支持部材は、積み重ねられて載置される紙の縁部に沿って延在するように立設された壁状の第一端部支持壁および第二端部支持壁であり、一対の前記第一端部支持壁には、前記傾斜長穴が設けられた前記係合支持フレームが夫々一体的に形成されている請求項１に記載の紙収納ボックス。
【請求項３】
前記押え棒は、前記係合支持フレームに両端部が係合される棒状の押え棒本体を備え、
前記押圧部は、前記他方凹溝の両側の前記受け台に夫々対向するとともに円筒状に形成され前記押え棒本体に対して相対回転可能に外嵌される一対のローラ部である請求項１または２に記載の紙収納ボックス。
【請求項４】
前記傾斜長穴は、係合する前記押え棒が前記受け台に対向する対向位置から前記対向位置から外れる外し位置まで、前記押え棒を位置決め可能に設けられている請求項１乃至請求項３のいずれか１項に記載の紙収納ボックス。
【発明の詳細な説明】
【技術分野】
【０００１】
本発明は、読み終えた新聞紙、古雑誌などの紙を重ねた状態で収納するとともに、収納されて蓄積された紙を一括して容易に結束することができる紙収納ボックスに関する。
【背景技術】
【０００２】
従来、読み終えた新聞は、梱包のクッション材、拭き掃除、湿気とり等に惜しげなく使用できる汎用材料として有効利用が可能であるため、捨てないで残しておかれることが多く、また、読み終えた新聞紙や雑誌などの紙は、再利用可能な資源としても資源回収される。そのため、捨てないで残された古新聞、古雑誌は、堆く積まれた状態で保管されるが、積まれた状態が崩れて散らかるおそれがあるため、所定量貯まると結束する必要がある。この古新聞、古雑誌の結束作業は、積み重ねられた新聞紙は重量があるとともに、手による保持もしにくいため、大変面倒な作業であった。
【０００３】
このように積み重ねられた新聞紙、古雑誌の結束を容易にするものとして特許文献１の紐通し溝付き収納容器には、上方が開放した四角い箱状のボックス本体と、ボックス本体の垂直に立設された各四方の面の中央部においてボックス本体の底面から上方の開放部まで延在する結束溝と、ボックス本体の四隅に配置された受け台とが記載されている。
【０００４】
特許文献２の新聞紙縛りボックスは、収納容器、受け台に加えて、各結束溝（空隙）の巾方向両縁には凹部と凸部とが交互に連続した凹凸が対向して設けられ、接離可能に互いに平行に設けられた一対の押え棒が設けられている。そして、各押え棒の両端を凹凸の凹部に係合させ押え棒を互いに開く方向に付勢することで、押え棒を積み重ねた新聞紙の上方で対向する結束溝間に横架させるようになっている。結束の際には、新聞紙の上面を押え棒の下面で押圧した状態で、押え棒の両端を対向する結束溝の凹部に係合させることで、積み重ねられた新聞紙を押圧状態で支持することが記載されている。
【先行技術文献】
【特許文献】
【０００５】
【特許文献１】特開２０１１−３７５１３号公報
【特許文献２】特開２０１０−２６０６３３号公報
【発明の概要】
【発明が解決しようとする課題】
【０００６】
しかし、特許文献１の紐通し溝付き収納容器は、新聞紙、古雑誌を結束する紐を積み重ねた新聞紙、古雑誌の下を通すのは容易であるが、結束の際には、結んだ紐が緩まないように新聞紙、古雑誌を上から押えながら紐を結ぶ必要があり、非力な者にとって困難な作業となっていた。
【０００７】
特許文献２の新聞紙縛りボックスは、結束作業を行なわない状態で押え棒を対向する結束溝間に横架させていると、新聞紙を収納容器に収納する際に収納作業の支障となるので、押え棒は収容容器から取り外して保管される。そのため、結束作業を行なうときだけに、押え棒を結束溝間に取り付ける必要があるが、平行な押え棒は強いバネで開く方向に付勢されているため、押え棒を閉じた状態で結束溝に挿入して押え棒の両端部を結束溝の凹部に係合させる取付け作業は、女性、高齢者などの非力な者にとって面倒な作業となっていた。押え棒の取外し作業も同様に面倒な作業となっていた。また、このように押え棒は、収納容器とは別体であるため、収納容器とは別に保管する必要があり、紛失するおそれもあった。押え棒は、バネで開く方向に付勢されている構造であるので、構造も複雑でありコスト高となるという問題があった。
【０００８】
本発明は、上述した問題を解消するためになされたもので、積み重ねた新聞紙、古雑誌などの紙を容易に押圧して結束できる簡単な構造の紙収納ボックスを提供することを目的とする。
【課題を解決するための手段】
【０００９】
上記の課題を解決するために、本発明は、紙が積み重ねられて載置される受け台と、前記受け台の対向する端部間を夫々横断しかつ互いに交差して前記受け台の上面に刻設された少なくとも１組の凹溝と、前記紙の対向する一方の２辺に当接するよう前記受け台に設けられた一対の第一端部支持部材と、前記紙の対向する他方の２辺に当接するよう前記受け台に設けられた一対の第二端部支持部材と、前記各第一端部支持部材に夫々設けられ前記１組の凹溝のうちの一方凹溝の端部に連続し、前記各第一端部支持部材の上端部まで延在する一対の第一空隙と、前記各第二端部支持部材に夫々設けられ前記１組の凹溝のうちの他方凹溝の端部に連続し、前記各第二端部支持部材の上端部まで延在する一対の第二空隙と、前記受け台に載置された紙の上面を押圧する押圧部を備え、互いに平行に配設された一対の押え棒と、前記受け台に対して相対移動不能に設けられ、前記一方凹溝の両側上方において前記押え棒の両端部と係合する一対の係合支持フレームと、前記各押え棒に前記他方凹溝と対向する位置に設けられ、前記紙の上面との間で空隙を形成する紐通し凹部と、前記各係合支持フレームにおいて互いに対向して設けられ、前記一方凹溝に向かって下方に傾斜するとともに、上縁側に前記押え棒の端部と係脱可能に係合する複数の係合凹部が並設された傾斜長穴と、を備えた。また、紙収納ボックスに収納される紙は、例えば、新聞紙、雑誌、コピー用紙などの主に古紙が挙げられる。
【発明の効果】
【００１０】
本発明によると、作業者は、紙を結束する作業を行なう前に、受け台に積み重ねられた紙を押圧する作業をおこなう。そのために、両手で押え棒を把持し、受け台上に積み重ねて載置された紙の上面を押え棒を使って押圧する。その際、大きな力を要することなく一対の押え棒の一方に上から体重をかけて押圧すればよい。そして、押圧した押え棒を傾斜長穴に沿って一方凹溝側（下方内側）に向かって移動させる。押え棒から手を離すと、積み重ねられた紙の反発力により押え棒の両端が傾斜長穴の係合可能な一番下部に位置する係合凹部に係合する。一対の押え棒の他方についても同様に押圧して係合凹部に係合させる。
このように押え棒と傾斜長穴とによって、作業者が力の弱い者であっても、積み重ねた紙を容易に押圧し、押圧した状態を傾斜長穴の係合凹部により保持することができる。
そして、作業者は、紙の上面を押え棒の下面で押圧した状態で、結束紐を一方凹溝の端部間に通して第一空隙を通過させることで、紙の一方の２辺と直角な方向の周りに沿って結束紐を巡らせる。次に、巡らせた結束紐の一端部とその一端部の反対側の途中部分とを紙の上で交差させて９０度結束方向を変換し、紙の他方の２辺と直角な方向の周りに沿って結束紐を巡らせる。この際、結束紐を他方凹溝の端部間に通して第二空隙および紐通し凹部を通過させる。このように、紙の一方の２辺と直角な方向および紙の他方の２辺に直角な方向に沿って結束紐を巡らして紙を結束する。
この場合、押圧した状態が保持されて紙は結束されるので、結束紐が結束後に緩みにくい状態とすることができる。このようにして、例えば、女性、高齢者等の力の弱い作業者であっても、積み重ねられた紙を、容易にかつ緩みにくく結束紐で結束することができる。
【図面の簡単な説明】
【００１１】
【図１】本発明の実施形態における紙収納ボックスの概要を示す斜視図である。
【図２】紙収納ボックスの正面図である。
【図３】紙収納ボックスの平面図である。
【図４】抑えローラを係合した状態を示す係合段穴の拡大図である。
【図５】図２におけるV-V断面を示す図である。
【図６】図２におけるVI-VI断面を示す図である。
【図７】図５におけるVII-VII断面を示す図である。
【図８】押え棒の別例を示す図である。
【発明を実施するための形態】
【００１２】
＜実施形態＞
以下、図１〜図７に基づき、本発明の紙収納ボックスの実施形態について説明する。図１に示すように、本実施形態による紙収納ボックス１は、主な構成要素として受け台２と、受け台２に設けられた凹溝３と、受け台２の回りを囲むように受け台２に設けられた第一端部支持部材としての第一端部支持壁４ｒ，４ｌおよび第二端部支持部材としての第二端部支持壁５ｆ，５ｒと、第一端部支持壁４ｒ，４ｌに設けられた第一空隙４ａと、第二端部支持壁５ｆ，５ｒに設けられた第二空隙５ａと、受け台２に対向して横架される押え棒６と、第一端部支持壁４ｒ，４ｌに一体的に設けられた係合支持フレーム７と、を備えている。
【００１３】
受け台２は、図１、図２および図３に示すように、所定の高さを有する直方体形状に形成されている。受け台２の上面には、受け台２の長手方向に対向する端部間を横断する凹溝３（一方凹溝３ａ）が刻設されている。一方凹溝３ａは、上方が開口して設けられている。受け台２の上面には、受け台２の短手方向に対向する端部間を横断する凹溝３（他方凹溝３ｂ）が刻設されている。他方凹溝３ｂは、一方凹溝３ａと直角に交差するとともに、上方が開口して設けられている。なお、他方凹溝３ｂは、１本であることに限定されず、例えば、一方凹溝３ａに直角に交差して互いに平行に延在する２本の他方凹溝であってもよい。その際、第二端部支持壁５ｆ，５ｒに形成される第二空隙５ａも他方凹溝３ｂに連続して夫々２本形成される。
【００１４】
受け台２の短手方向に沿った側端部には、上方に向かって延在する左右一対の第一端部支持壁４ｒ，４ｌが対向して設けられている（図１において、右側の第一端部支持壁を４ｒ、左側の第一端部支持壁を４ｌ。）。受け台２の長手方向に沿った側端部には、上方に向かって延在する前後一対の第二端部支持壁５ｆ，５ｒが対向して設けられている（図１において、前側の第二端部支持壁を５ｆ、後側の第二端部支持壁を５ｒ）。第一端部支持壁４ｒ，４ｌおよび第二端部支持壁５ｆ，５ｒは、板材によって壁状に形成されている。上方に向かって延在する第一端部支持壁４ｒ，４ｌおよび第二端部支持壁５ｆ，５ｒの隣接する側端縁同士は直角に交差した状態で連続している。これらの第一端部支持壁４ｒ，４ｌおよび第二端部支持壁５ｆ，５ｒは、例えば、鋳型成形によって一体に形成される。紙収納ボックス１は、紙として、例えば４つ折りにされた新聞紙ＮＰを収納する。第一端部支持壁４ｒ，４ｌは、４つ折りにされた新聞紙ＮＰの短辺を構成する端部（対向する一方の２辺）に夫々当接し、第二端部支持壁５ｆ，５ｒは、４つ折りにされた新聞紙ＮＰの長辺を構成する端部（対向する他方の２辺）に夫々当接する。
【００１５】
一対の第一端部支持壁４ｒ，４ｌには、下部が一方凹溝３ａの幅に一致する溝幅を有し、中間部から上部にかけて下部の溝幅より狭い溝幅が連続する第一空隙４ａが夫々設けられている。第一端部支持壁４ｒ，４ｌの上部には、傾斜長穴７ａが設けられた係合支持フレーム７が一体に形成されている。係合支持フレーム７の上部は、左右の第一端部支持壁４ｒ，４ｌに沿って前後方向の第二端部支持壁５ｆ，５ｒの外面より外側に水平に突出して設けられている。
【００１６】
各係合支持フレーム７に設けられた傾斜長穴７ａは、図１および図４に示すように、前後の第二端部支持壁５ｆ，５ｒ側（外側）から一方凹溝３ａ側（内側）に向かって下方に傾斜させて設けられている。傾斜長穴７ａの上縁側には、下方が開放した複数の係合凹部７ａ１が上縁に沿って並設されている。傾斜長穴７ａの下縁側は、直線的に延在する傾斜面となっている。係合凹部７ａ１の下端と傾斜長穴７ａの下縁部との間の寸法は、係合される押え棒６の端部の外径より少し大きく設定されている。このように設定することで、いずれかの係合凹部７ａ１に一旦係合した押え棒６の端部を、他の係合凹部７ａ１に移動させることが可能となり、係合凹部７ａ１が押え棒６の端部と係脱可能とする構成を担保する。
【００１７】
そして、傾斜長穴７ａの上部は、突出する係合支持フレーム７の突出部分に設けられることで、水平方向に前後の第二端部支持壁５ｆ，５ｒの外面より外側に突出して設けられている。このように傾斜長穴７ａを水平方向に突出させることで、押え棒６が受け台２の上方側で受け台２と対向する領域（対向位置ＡＰ）外となる外し位置ＳＰ（図３、図５参照）を確保するとともに、係合支持フレーム７が上方に嵩張るのを防止して、全体をコンパクトに構成している。各押え棒６が対向位置ＡＰに位置決めされた場合に、押え棒６は一方凹溝３ａを挟んで両側に位置する受け台２に夫々対向する。
また、水平方向に突出させて設けられた上部の傾斜長穴７ａは、上縁側および下縁側が直線的に形成されている。さらに、上部の傾斜長穴７ａの下縁側の外側端部には、凹状の外し位置保持部７ａ２が設けられ、外し位置保持部７ａ２には押え棒６の両端部が夫々係合する。これらの外し位置保持部７ａ２によって、外し位置ＳＰに移動した押え棒６を外し位置ＳＰに安定して保持することができる。
このように、押え棒６が受け台２に対向し新聞紙ＮＰの上面を押圧することが可能な対向位置ＡＰから、押え棒６を傾斜長穴７ａの上部に移動させて外し位置ＳＰに位置決めすることで、紙収納ボックス１への新聞紙ＮＰの出し入れを容易に行なう事ができるよう構成されている。
【００１８】
一対の第二端部支持壁５ｆ，５ｒには、他方凹溝３ｂの幅に一致する溝幅を有する第二空隙５ａが夫々設けられている。第二空隙５ａは他方凹溝３ｂに連続し、第二端部支持壁５ｆ，５ｒの下端部より上端部まで延在する。
本実施形態における紙収納ボックス１において、図１、図６および図７に示すように、受け台２、第一端部支持壁４ｒ，４ｌ、第二端部支持壁５ｆ，５ｒ、および係合支持フレーム７は、例えば、アルミニウム鋳物合金製で、一体に形成されている。
【００１９】
押え棒６は、図１に示すように、左右の第一端部支持壁４ｒ，４ｌ間に対向して設けられた二対の係合支持フレーム７に係合されることで、一方凹溝３ａを挟んで両側の受け台２の上方に夫々横架される。各押え棒６は、押え棒本体６ａ、ローラ部６ｂ、中央円筒部６ｃおよび端部ストッパ６ｄから主に構成される。押え棒本体６ａは、例えば、ステンレス鋼製で棒状に形成され、両端部には夫々雄ねじ部６ａ１が刻設されている。押え棒本体６ａの雄ねじ部６ａ１が刻設されていない部分の軸心方向の長さは、対向する係合支持フレーム７間の長さより長く設定されている。
【００２０】
ローラ部６ｂは、例えば、硬質樹脂製で、円筒状に形成され、内径が押え棒本体６ａの外径より大きく設定されている。これによって、ローラ部６ｂは押え棒本体６ａに対して相対回転可能に外嵌される。ローラ部６ｂは、他方凹溝３ｂを挟んで両側の受け台２に対向して夫々一対設けられている。なお、ローラ部６ｂは、木製でもよい。
【００２１】
中央円筒部６ｃは、例えば、ステンレス鋼製で、円筒状に形成されている。中央円筒部６ｃの内径は、押え棒本体６ａに少なくとも外嵌可能な内径であればよく、必ずしも押え棒本体６ａに対して相対回転可能である必要はない。中央円筒部６ｃの外径は、ローラ部６ｂの外径より小さく形成されている。そのため、二つのローラ部６ｂで新聞紙ＮＰの上面を押圧した際に、二つのローラ部６ｂの間に配設された中央円筒部６ｃの外径と新聞紙ＮＰの上面との間には、結束に使用される結束紐（図略）を通すことが可能な紐通し凹部６ｅを構成する空隙が生じる（図２参照）。
【００２２】
端部ストッパ６ｄは、例えば、硬質樹脂製で、球形部６ｄ１と円筒部６ｄ２とで形成されている。円筒部６ｄ２は、球形部６ｄ１の中心に一致する軸心を有する開口穴６ｄ３が形成されている。円筒部６ｄ２の外径は傾斜長穴７ａの短手方向の幅寸法より大きく形成されている。開口穴６ｄ３には抑え棒本体６ａの雄ねじ部６ａ１に螺合する雌ねじ部６ｄ４が刻設されている。押え棒本体６ａの中央部に中央円筒部６ｃを外嵌し、中央円筒部６ｃの両側にローラ部６ｂを外嵌した状態で、傾斜長穴７ａに押え棒本体６ａの両端部が夫々係合される。そして、押え棒本体６ａの端部には、夫々端部ストッパ６ｄが螺合締結され、押え棒６が係合支持フレーム７に脱落不能に組み付けられる。なお、これらの端部ストッパ６ｄは、木製でもよい。
【００２３】
（紙収納ボックスの使用方法）
作業者が、新聞紙ＮＰを収納して受け台２に積み重ねていく際には、押え棒６を外し位置ＳＰの外し位置保持部７ａ２に位置決めしておく。押え棒６を外し位置ＳＰに位置決めすることで、紙収納ボックス１の上部が開放状態となって、新聞紙ＮＰを容易に収納して受け台２に積み上げていくことができる。押え棒６の両端部を外し位置保持部７ａ２に係合させておくことで、新聞紙ＮＰの押圧が必要ない場合に、押え棒６が外し位置ＳＰから勝手にずれて対向位置ＡＰに食み出すことを防止することができる。
【００２４】
収納された新聞紙ＮＰが積み上げられて、結束する必要があるほど嵩が高くなった場合、一対の押え棒６の一方を外し位置ＳＰから対向位置ＡＰに移動する。その際、例えば、両端の端部ストッパ６ｄを両手で把持し、ローラ部６ｂを新聞紙ＮＰの上面に当接させ、押え棒６に体重を付加して一方凹溝３ａに向かって斜め下方に押え棒６をスライドさせる。押え棒６の端部は、傾斜長穴７ａの直線的に傾斜した下縁部に当接した状態で摺動するので、下方斜め方向に沿って極めて円滑にスライドする。
【００２５】
そして、新聞紙ＮＰの上面を、押え棒６のローラ部６ｂで押圧した状態で、手から力を抜いて押え棒６を垂直上方に少し戻してやると、係合凹部７ａ１と押え棒６の両端部とが係合する。これによって、新聞紙ＮＰの上面を押え棒６で押圧した状態が維持できる。同様にして押え棒６の他方についても押圧して係合凹部７ａ１に係合させる。
【００２６】
次に、結束用の紐（結束紐）を、例えば、他方凹溝３ｂの端部間に通して前後の第２端部支持壁５ｆ，５ｒに夫々設けられた第二空隙５ａおよび紐通し凹部６ｅを通過させることで、新聞紙ＮＰの長手方向の二辺に直角な方向の周りに結束紐を巡らせる。次に、巡らせた結束紐を新聞紙ＮＰ上で交差させて互いに係止させることで、９０度結束方向を変換し、短手方向の二辺に直角な周りに結束紐を巡らせる。この際、結束紐は、一方凹溝３ａおよび左右の第１端部支持壁４ｒ，４ｌに夫々設けられた第一空隙４ａを通過させる。以下同様にして、結束する新聞紙ＮＰの重量に応じて２重または３重に紐を巡らせ、結束紐の両端部同士を縛ることで、新聞紙ＮＰを強固に結束する。
【００２７】
上述の記載で明らかなように、実施形態における紙収納ボックス１は、新聞紙ＮＰが積み重ねられて載置される受け台２と、受け台２の対向する端部間を夫々横断しかつ互いに交差して受け台２の上面に刻設された少なくとも１組の凹溝３と、新聞紙ＮＰの対向する一方の２辺に当接するよう受け台２に設けられた一対の第一端部支持壁４ｒ，４ｌと、新聞紙ＮＰの対向する他方の２辺に当接するよう受け台２に設けられた一対の第二端部支持壁５ｆ，５ｒと、各第一端部支持壁４ｒ，４ｌに夫々設けられ、１組の凹溝３のうちの一方凹溝３ａの端部に連続し、各第一端部支持壁４ｒ，４ｌの上端部まで延在する一対の第一空隙４ａと、各第二端部支持壁５ｆ，５ｒに夫々設けられ１組の凹溝３のうちの他方凹溝３ｂの端部に連続し、各第二端部支持壁５ｆ，５ｒの上端部まで延在する一対の第二空隙５ａと、受け台２に載置された新聞紙ＮＰの上面を押圧する押圧部６ｂを備え、互いに平行に配設された一対の押え棒６と、受け台２に対して相対移動不能に設けられ、一方凹溝３ａの両側上方において押え棒６の両端部と係合する一対の係合支持フレーム７と、各押え棒６に他方凹溝３ｂと対向する位置に設けられ、新聞紙ＮＰの上面との間で空隙を形成する紐通し凹部６ｅと、各係合支持フレーム７において互いに対向して設けられ、一方凹溝３ａに向かって下方に傾斜するとともに、上縁側に押え棒６の端部と係脱可能に係合する複数の係合凹部７ａ１が並設された傾斜長穴７ａと、を備えた。
【００２８】
本実施形態の紙収納ボックス１によると、作業者は、新聞紙ＮＰを結束する作業を行なう前に、受け台２に積み重ねられた新聞紙ＮＰを押圧する作業をおこなう。そのために、手で押え棒６を把持し、受け台２上に積み重ねて載置された新聞紙ＮＰの上面を押え棒６を使って押圧する。その際、大きな力を要することなく一対の押え棒６の一方に上から体重を付加して押圧すればよい。そして、押圧した押え棒６を傾斜長穴７ａに沿って一方凹溝側３ａ（下方内側）に向かって移動させる。押え棒６から手を離すと、押圧された新聞紙ＮＰの反発力により押え棒６の両端が傾斜長穴７ａの係合可能な一番下部に位置する係合凹部７ａ１に係合する。一対の押え棒６の他方についても同様に押圧して係合凹部７ａ１に係合させる。
このように、自分の体重を効率よく利用できる押え棒６と押えた力を維持できる傾斜長穴７ａとによって、結束作業者が力の弱い者であっても、積み重ねた新聞紙ＮＰを容易に押圧し、押圧した状態を傾斜長穴７ａの係合凹部７ａ１により保持することができる。
【００２９】
そして、作業者は、新聞紙ＮＰの上面を押え棒６の下面で押圧した状態で、結束紐を一方凹溝３ａの端部間に通して左右の第一端部支持壁４ｒ，４ｌに夫々設けられた第一空隙４ａを通過させることで、新聞紙ＮＰの一方の２辺と直角な方向の周りに沿って結束紐を巡らせる。次に、巡らせた結束紐の一端部とその一端部の反対側の途中部分とを新聞紙ＮＰの上で交差させて９０度結束方向を変換し、新聞紙ＮＰの他方の２辺と直角な方向の周りに沿って結束紐を巡らせる。この際、結束紐を他方凹溝３ｂの端部間に通して前後の第二端部支持壁５ｆ，５ｒに夫々設けられた第二空隙５ａおよび紐通し凹部６ｅを通過させる。このように、新聞紙ＮＰの一方の２辺と直角な方向および新聞紙ＮＰの他方の２辺に直角な方向に沿って結束紐を巡らして新聞紙ＮＰを結束する。
この場合、押圧した状態が維持されて新聞紙ＮＰは結束されるので、結束紐が結束後に緩みにくい状態とすることができる。このようにして、例えば、女性、高齢者等の力の弱い者であっても、積み重ねられた新聞紙ＮＰを、容易にかつ緩みにくく結束紐で結束することができる。
【００３０】
また、第一端部支持壁４ｒ，４ｌおよび第二端部支持壁５ｆ，５ｒは、積み重ねられて載置される新聞紙ＮＰの縁部に沿って延在するように立設された壁状の第一端部支持壁４ｒ，４ｌおよび第二端部支持壁５ｆ，５ｒであり、一対の第一端部支持壁４ｒ，４ｌには、傾斜長穴７ａが設けられた係合支持フレーム７が夫々一体的に形成されている。
【００３１】
これによると、第一端部支持壁４ｒ，４ｌおよび第二端部支持壁５ｆ，５ｒは、壁材であり、第一端部支持壁４ｒ，４ｌには係合支持フレーム７が一体的に形成されている。壁材とすることで、第一および第二端部支持壁４ｒ，４ｌ，５ｆ，５ｒ全体を鋳型等によって容易に製作することができる。また、第一端部支持壁４ｒ，４ｌには係合支持フレーム７が一体的に形成されているので、第一端部支持壁４ｒ，４ｌは、新聞紙ＮＰの端部を支えて積み重ねられた紙が崩れないようにする機能と、押え棒６の両端部に係合して押え棒６を支持する機能とを併有する。そのため、極めて簡素な構造で製造コストも安価な紙収納ボックス１とすることができる。
【００３２】
また、押え棒６は、係合支持フレーム７に両端部が係合される棒状の押え棒本体６ａを備え、押圧部は、他方凹溝３ｂの両側の受け台２に夫々対向するとともに円筒状に形成され押え棒本体６ａに対して相対回転可能に外嵌される一対のローラ部６ｂである。
【００３３】
これによると、押え棒６が新聞紙ＮＰの上面と接触する押圧部がローラ部６ｂとなっており、積み重ねられた新聞紙ＮＰの上面を押え棒６で押圧した際に、新聞紙ＮＰの上面と押え棒６との間に新聞紙の上面に沿った方向の摩擦抵抗力が生じない。そのため、押え棒６を傾斜長穴７ａに沿って容易に移動させることができる。そのため、力の弱い女性や高齢者等であっても、積み重ねられた新聞紙ＮＰをさらに容易に押圧した状態として結束することができる。
【００３４】
また、傾斜長穴７ａは、係合する押え棒６が受け台２に対向する対向位置ＡＰ（対向領域）から、対向位置ＡＰから外れる外し位置ＳＰまで、押え棒６を位置決め可能に設けられている。
これによると、押え棒６を、外し位置ＳＰに位置決めすることで、新聞紙ＮＰを紙収納ボックス１内に収納する際に、押え棒６が邪魔になることなくスムーズに収納でき、結束された新聞紙ＮＰを紙収納ボックス１から取り出す際に、押え棒６が邪魔になることなくスムーズに取り出すことができる。
【００３５】
また、このように押え棒６を新聞紙ＮＰの出し入れに邪魔とならない位置に保持することができるので、紙収納ボックス１から押え棒６を別体のものとして取り外す必要がない。そのため、押え棒６を紛失するおそれがなく、押え棒６を別管理する手間が生じない。
【００３６】
なお、上記実施形態において、紐通し凹部６ｅについて、中央円筒部６ｃの外径を、ローラ部６ｂの外径より小さく形成し、二つのローラ部６ｂの間に配設する中央円筒部６ｃの外径と新聞紙ＮＰの上面との間に、結束に使用される紐を通すことが可能な空隙を生じさせるものとしたが、これに限定されない。例えば、図８に示すように、押え棒本体８ａの中央部をコ字状に屈曲させることで、新聞紙ＮＰの上面との間に紐通し凹部８ｅを形成してもよい。
【００３７】
また、第一及び第二端部支持部材は、壁材であることに限定されず、例えば、枠材と枠材の間に嵌め込まれた網材との組み合わせでもよい。
また、第一端部支持壁４ｒ，４ｌに係合支持フレーム７が一体に形成されるものとしたが、これに限定されず、例えば、係合支持フレームが、端部支持壁と別体のものでもよく、溶接や複数のボルトナットで一体的に構成されるものでもよい。
【００３８】
また、第一および第二端部支持壁４ｒ，４ｌ，５ｆ，５ｒは、受け台２の外側部から立ち上がっているものとしたが、これに限定されず、例えば、第一および第二端部支持壁と受け台との間に隙間があってもよい。
また、受け台２は、直方体形状としたが、これに限定されず、例えば、円柱形状、楕円柱形状でもよい。
また、紙を新聞紙としたが、これに限定されず、例えば、古雑誌でもよい。この場合、新聞紙より小さな古雑誌を中央に位置決めさせるガイドを受け台に設けてもよい。
また、傾斜長穴７ａの上部は、第二支持壁部５ｒ，５ｆより外側水平方向に沿って配設されるものとしたが、これに限定されず、例えば、外側下方向に沿って傾斜するものでもよい。この場合、傾斜長穴７ａの外側に傾斜した端部が外し位置保持部となる。
【００３９】
斯様に、上記した実施の形態で述べた具体的構成は、本発明の一例を示したものにすぎず、本発明はそのような具体的構成に限定されることなく、本発明の主旨を逸脱しない範囲で種々の態様を採り得るものである。
【符号の説明】
【００４０】
１…紙収納ボックス、２…受け台、３…凹溝、３ａ…一方凹溝、３ｂ…他方凹溝、４ａ…第一空隙、４ｒ，４ｌ…第一端部支持壁（第一端部支持部材）、５ａ…第二空隙、５ｆ，５ｒ…第二端部支持壁（第二端部支持部材）、６…押え棒、６ａ…押え棒本体、６ｂ…ローラ部（押圧部）、６ｅ…紐通し凹部、７…係合支持フレーム、７ａ…傾斜長穴、７ａ１…係合凹部、ＡＰ…対向位置、ＳＰ…外し位置、ＮＰ…新聞紙（紙）。
【図１】
2016159957.tif 000003
【図２】
2016159957.tif 000004
【図３】
2016159957.tif 000005
【図４】
2016159957.tif 000006
【図５】
2016159957.tif 000007
【図６】
2016159957.tif 000008
【図７】
2016159957.tif 000009
【図８】
2016159957.tif 000010